(57)【要約】  【課題】内線電話機２から離れた位置でも無線電話機３による通話が可能であり、且つ主装置１が内線電話機２に提供するサービスを無線電話機３でも利用可能な技術を提供する。  【解決手段】内線ネットワーク７に無線ＡＰ５および内線電話機２を接続すると共に、無線ＡＰ５を介して内線ネットワーク７に無線電話機３を接続する。また、無線電話機３と主装置１との間に予め呼を接続して保留しておく。そして、無線電話機３の呼を主装置１から内線電話機２の通話相手に転送すると共に、内線電話機２の通話相手の接続先を、この内線電話機２から無線電話機３に変更する。【選択図】図１
2008270926.tif 000002
【特許請求の範囲】
【請求項１】
内線を収容する主装置と、前記内線に接続された内線電話機と、前記内線に接続された無線アクセスポイントと、前記無線アクセスポイントを介して前記内線に接続される無線電話機と、を有する内線電話システムであって、
前記内線電話機は、
前記主装置に連動通知を送信する連動通知送信手段と、
前記無線電話機に対して、前記主装置への発信処理を指示する発信指示手段と、
前記主装置に第１の切替通知を送信する切替通知送信手段と、
変更通知を受信する変更通知受信手段と、
前記変更通知受信手段により受信した前記変更通知に含まれているアドレスに、呼の接続先を切り替える呼切替手段と、を有し、
前記主装置は、
前記連動通知を受信する連動通知受信手段と、
前記内線電話機から前記連動通知を受信し、且つ前記無線電話機から着信を受けた場合に、当該着信に応答して呼を接続すると共に接続した呼を保留する保留手段と、
前記第１の切替通知を受信する切替通知受信手段と、
前記第１の切替通知を受信した場合に、前記無線電話機の保留中の呼を、前記主装置から前記第１の切替通知の送信元である前記内線電話機の通話相手に転送制御する転送制御手段と、
前記第１の切替通知の送信元である前記内線電話機の通話相手に、前記無線電話機のアドレスを含む前記変更通知を送信する変更通知送信手段と、を有する
ことを特徴とする内線電話システム。
【請求項２】
請求項１に記載の内線電話システムであって、
前記連動通知送信手段は、
発信もしくは着信があった場合に、前記連動通知を前記主装置に送信する
ことを特徴とする内線電話システム。
【請求項３】
請求項１又は２に記載の内線電話システムであって、
前記切替通知送信手段は、
前記無線電話機との接続状態が接続から非接続に変化した場合に、前記第１の切替通知を前記主装置に送信する
ことを特徴とする内線電話システム。
【請求項４】
請求項１乃至３のいずれか一項に記載の内線電話システムであって、
前記切替通知送信手段は、
前記主装置に第２の切替通知を送信し、
前記保留手段は、
前記第２の切替通知を受信した場合に前記無線電話機の呼を保留し、
前記変更通知送信手段は、
前記第２の切替通知を受信した場合に、前記内線電話機に、当該内線電話機の通話相手のアドレスを含む前記変更通知を送信すると共に、当該内線電話機の通話相手に、当該内線電話機のアドレスを含む前記変更通知を送信する
ことを特徴とする内線電話システム。
【請求項５】
請求項４に記載の内線電話システムであって、
前記切替通知送信手段は、
前記無線電話機との接続状態が非接続から接続に変化した場合に、前記第２の切替通知を前記主装置に送信する
ことを特徴とする内線電話システム。
【請求項６】
請求項３又は５に記載の内線電話システムであって、
前記内線電話機は、
前記無線電話機を充電する充電器に電力を供給する給電手段と、
前記給電手段の給電状態に基づいて、前記無線電話機の自内線電話機への接続状態を監視する接続状態監視手段と、をさらに有し、
前記切替通知送信手段は、
前記接続状態監視手段の監視結果に基づいて、前記切替通知を送信する
ことを特徴とする内線電話システム。
【請求項７】
請求項１乃至６のいずれか一項に記載の内線電話システムであって、
前記内線電話機は、
保留指示を送信する保留指示送信手段をさらに有し、
前記主装置は、
前記保留指示を受信する保留指示受信手段をさらに有し、
前記保留手段は、
前記保留指示を受信した場合に前記無線電話機の通話中の呼を保留し、
前記転送制御手段は、
前記無線電話機の保留中の呼を、前記内線電話機の通話相手から当該内線電話機より受け付けたダイヤル情報により特定される転送先に転送制御する
ことを特徴とする内線電話システム。
【請求項８】
請求項１乃至７のいずれか一項に記載の内線電話機。
【請求項９】
請求項１乃至７のいずれか一項に記載の主装置。
【請求項１０】
内線を収容する主装置を用いた内線電話システムの中継方法であって、
前記内線に無線アクセスポイントおよび内線電話機を接続し、
前記無線アクセスポイントを介して前記内線に無線話子機を接続し、
前記内線電話機に、
発信もしくは着信があった場合に、前記主装置に連動通知を送信させると共に、前記無線電話機に対して、前記主装置への発信処理を実施させ、
前記無線電話機との接続状態が接続から非接続に変化した場合に、第１の切替通知を前記主装置に送信させ、
前記主装置から変更通知を受信した場合に、当該変更通知に含まれているアドレスに、接続中の呼の接続先を切り替えさせ、
前記主装置に、
前記内線電話機から前記連動通知を受信した場合に、前記無線電話機からの着信に応答して接続した呼を保留させ、
前記内線電話機から前記第１の切替通知を受信した場合に、前記無線電話機の保留中の呼を、前記主装置から当該内線電話機の通話相手に転送制御すると共に、当該内線電話機の通話相手に、前記無線電話機のアドレスを含む前記変更通知を送信させる
ことを特徴とする内線電話システムの中継方法。
【発明の詳細な説明】
【技術分野】
【０００１】
本発明は、主装置を用いた内線電話システムの技術に関し、特に、内線電話機および汎用のＩＰ無線電話機の呼の中継技術に関する。
【背景技術】
【０００２】
特許文献１には、子機から親機への外線電話の転送操作を簡略化した、操作性のよい電話装置が開示されている。この電話装置では、ユーザが子機を用いて外線通話を行っているときに、充電器接続部と子機接続部とが接続するように、子機を子機充電器に載置すると、子機は、充電器接続部と子機接続部との接続を検出し、親機に充電器接続信号を送信して、親機の呼出しを行う。これを受けて、親機は、内線着信を行い、子機が行っている外線通話を親機で行うように切り替える。
【０００３】
また、特許文献２には、固定電話機と携帯電話機との連携を円滑且つ双方向に行うことが可能な電話交換システムが開示されている。この電話交換システムは、固定電話網に直接接続される固定電話機、または構内交換機を介して接続される内線電話機に、携帯電話機を電気的に接続可能にし、それぞれ携帯電話接続検出部により携帯電話機の接続状態を検出する。そして、その検出結果に応じて、固定電話網または携帯電話網の着信転送サービスにより転送、非転送を双方向に適切に行う。
【０００４】
【特許文献１】特開２００５−９４１３９号公報
【特許文献２】特開２００４−３２３５６号公報
【発明の開示】
【発明が解決しようとする課題】
【０００５】
特許文献１に記載の電話装置は、子機が親機経由で外線通話するため、親機から離れた位置では、子機による外線通話ができない。また、特許文献２に記載の電話交換システムでは、携帯電話機が常に携帯電話網を経由するため、転送サービス等の、構内交換機が内線電話機に提供する様々なサービスを携帯電話機で利用することができない。
【０００６】
本発明は上記事情に鑑みてなされたものであり、本発明の目的は、内線電話機から離れた位置でも無線電話機による通話が可能であり、且つ主装置が内線電話機に提供するサービスを無線電話機でも利用可能な技術を提供することにある。
【課題を解決するための手段】
【０００７】
上記課題を解決するために、本発明では、内線に無線アクセスポイントおよび内線電話機を接続すると共に、無線アクセスポイントを介して内線に無線電話機を接続する。また、無線電話機と主装置との間に予め呼を接続して保留しておく。そして、この呼を主装置から内線電話機の通話相手に転送すると共に、内線電話機の通話相手の接続先を内線電話機から無線電話機に変更する。
【０００８】
例えば、本発明は、内線を収容する主装置と、前記内線に接続された内線電話機と、前記内線に接続された無線アクセスポイントと、前記無線アクセスポイントを介して前記内線に接続される無線電話機と、を有する内線電話システムであって、
前記内線電話機は、
前記主装置に連動通知を送信する連動通知送信手段と、
前記無線電話機に対して、前記主装置への発信処理を指示する発信指示手段と、
前記主装置に第１の切替通知を送信する切替通知送信手段と、
変更通知を受信する変更通知受信手段と、
前記変更通知受信手段により受信した前記変更通知に含まれているアドレスに、呼の接続先を切り替える呼切替手段と、を有し、
前記主装置は、
前記連動通知を受信する連動通知受信手段と、
前記内線電話機から前記連動通知を受信し、且つ前記無線電話機から着信を受けた場合に、当該着信に応答して呼を接続すると共に接続した呼を保留する保留手段と、
前記第１の切替通知を受信する切替通知受信手段と、
前記第１の切替通知を受信した場合に、前記無線電話機の保留中の呼を、前記主装置から前記第１の切替通知の送信元である前記内線電話機の通話相手に転送制御する転送制御手段と、
前記第１の切替通知の送信元である前記内線電話機の通話相手に、前記無線電話機のアドレスを含む前記変更通知を送信する変更通知送信手段と、を有する。
【発明の効果】
【０００９】
本発明によれば、内線電話機から離れた位置でも無線電話機による通話が可能である。また、主装置が内線電話機に提供するサービスを無線電話機でも利用可能である。
【発明を実施するための最良の形態】
【００１０】
以下、本発明の実施の形態について説明する。
【００１１】
図１は、本発明の一実施の形態が適用された内線電話システムの概略構成図である。
【００１２】
図示するように、本実施の形態の内線電話システムは、内線ネットワーク（例えばＬＡＮ）７を収容する主装置１と、内線ネットワーク７に接続された無線ＡＰ（アクセスポイント）５と、内線ネットワーク７を外線ネットワーク（例えばＷＡＮ）８に接続するＧＷ（ゲートウェイ）６と、内線ネットワーク７に接続された少なくとも１台の内線電話機２と、少なくとも１台の無線電話機３と、を有する。
【００１３】
主装置１は、外線ネットワーク８と内線電話機２または無線電話機３との間、および、内線電話機２または無線電話機３と内線電話機２または無線電話機３との間の呼を中継する。
【００１４】
内線電話機２には、無線電話機３を充電する充電器４が接続されている。内線電話機２は、無線電話機３の充電器４への接続状態を監視する。そして、接続状態の変化に応じて、主装置１および無線電話機３と連携して、通話相手の接続先を自内線電話機２と無線電話機３との間で切り替える。
【００１５】
無線電話機３は、無線ＡＰ５を介して内線ネットワーク７に接続される。また、無線電話機３は、内線電話機２の指示に従い主装置１との間に呼を接続する。また、主装置１の指示に従い、この呼の接続先を主装置１と内線電話機２の通話相手との間で切り替える。
【００１６】
次に、本実施の形態の内線電話システムを構成する各装置について説明する。なお、充電器４、無線ＡＰ５、およびＧＷ６には、既存の充電器、無線ＡＰ、ＧＷを利用できる。また、無線電話機３には、既存の無線ＩＰ電話（ＷｉＦｉホン）を利用できる。そこで、これらの装置の詳細な説明を省略する。
【００１７】
先ず、内線電話機２について説明する。図２は、内線電話機２の概略構成図である。
【００１８】
図示するように、内線電話機２は、内線ＩＦ部２０１と、通信制御部２０２と、呼処理部２０３と、通話ボタン（ハンズフリーボタン）、ダイヤルキー、ファンクションキー等の入力キーおよびＬＣＤ等の表示部を備えた操作パネル２０４と、操作制御部２０５と、マイクおよびスピーカを備えたハンズフリー部２０６と、音声制御部２０７と、給電部２０８と、電源制御部２０９と、無線電話機情報記憶部２１０と、主制御部２１１と、を有する。
【００１９】
内線ＩＦ部２０１は、内線ネットワーク７と接続するためのインターフェースである。
【００２０】
通信制御部２０２は、内線ネットワーク７と通信パケットを送受するために必要な処理（エラー検出、エラー訂正、パケット解析等）を行う。
【００２１】
呼処理部２０３は、発信、着信、通話、保留等の端末側の呼処理全般を行う。
【００２２】
操作制御部２０５は、操作パネル２０４を介して、ユーザの操作を受け付けたり、情報を表示したりする。
【００２３】
音声制御部２０７は、ハンズフリー部２０６に対する音声の入出力を制御する。
【００２４】
給電部２０８は、充電器４に電力を供給する。
【００２５】
接続状態監視部２０９は、給電部２０８の電力供給量に基づいて、充電器４と無線電話機３との接続状態を監視する。
【００２６】
無線電話機情報記憶部２１０は、無線電話機３のアドレス情報（例えばＩＰアドレス）が記憶されている。なお、アドレス情報は予めユーザによって登録される。
【００２７】
そして、主制御部２１１は、自内線電話機２の各部２０１〜２１０を統括的に制御する。図示するように、主制御部２１１は、連動通知送信部２１１１と、発信制御部２１１２と、切替通知送信部２１１３と、変更通知受信部２１１４と、呼切替部２１１５と、保留指示送信部２１１６と、を有する。
【００２８】
連動通知送信部２１１１は、発信もしくは着信があった場合に、主装置１に無線電話機情報記憶部２１０に登録されたアドレス情報を連動通知として送信する。
【００２９】
発信制御部２１１２は、無線電話機３による主装置１への発信処理を制御する。
【００３０】
切替通知送信部２１１３は、充電器４と無線電話機３との接続状態が「接続」から「非接続」に変化した場合に、主装置１に第１の切替通知を送信する。また、この接続状態が「非接続」から「接続」に変化した場合に、主装置１に第２の切替通知を送信する。
【００３１】
変更通知受信部２１１４は、主装置１から変更通知を受信する。
【００３２】
呼切替部２１１５は、主装置１から受信した変更通知に含まれているアドレスに、呼の接続先を切替える。
【００３３】
保留指示送信部２１１６は、操作パネル２０４に入力されたユーザの指示に従い、保留指示を主装置１に送信する。
【００３４】
図３は、内線電話機２の動作を説明するためのフロー図である。
【００３５】
主制御部２１１は、内線ＩＦ部２０１および通信制御部２０２を介して、主装置１から着信通知を受信すると、あるいは、操作パネル２０４および操作制御部２０５を介してユーザから発信操作（例えばオフフック）を受け付けると（Ｓ２０１でＹＥＳ）、連動通知送信部２１１１および発信制御部２１１２により後述する無線電話機連動処理を行う（Ｓ２０２）。その後、呼処理部２０３と連携して、通話相手に対する着信処理（着信通知受信の場合）、あるいは発信処理（発信操作受付の場合）を行って、通話相手と呼を接続する（Ｓ２０３）。
【００３６】
また、主制御部２１１は、接続状態監視部２０９で監視している充電器４および無線電話機３の接続状態が変化したことを検出すると（Ｓ２０４でＹＥＳ）、切替通知送信部２１１３、変更通知受信部２１１４、および呼切替部２１１５により後述する呼切替処理を行う（Ｓ２０５）。
【００３７】
また、主制御部２１１は、変更通知受信部２１１４により、内線ＩＦ部２０１および通信制御部２０２を介して、主装置１から変更通知を受信すると（Ｓ２０６でＹＥＳ）、呼切替部２１１５により、この変更通知に含まれているアドレス情報により特定される電話機への通話パケットの送信を開始する（Ｓ２０７）。これにより、ハンズフリー部２０６のマイクに入力された音声が、音声制御部２０７により音声データに変換される。そして、この音声データが、通信制御部２０２により通話パケットに格納され、内線ＩＦ部２０１から、このアドレス情報により特定される電話機に送出される。また、このアドレス情報により特定される電話機から送られてきた通話パケットは、内線ＩＦ部２０１で受信され、通信制御部２０２で音声データが抽出される。そして、この音声データが、音声制御部２０７によりハンズフリー部２０６のスピーカから出力される。
【００３８】
また、主制御部２１１は、操作パネル２０４および操作制御部２０５を介してユーザから保留指示（例えば内線ボタン押下）を受け付けると（Ｓ２０８でＹＥＳ）、保留指示送信部２１１６により、通信制御部２０２および内線ＩＦ部２０１を介して、主装置１に保留指示を送信する（Ｓ２０９）。
【００３９】
ここで、保留指示送信部２１１６は、自内線電話機２が通話中であるか否かを確認し、自内線電話機２が通話中であれば、通話相手のアドレス情報と、自内線電話機２のアドレス情報とを含む保留指示を送信する。自内線電話機２が通話中でない場合は、例えば呼処理部２０３と連携し、無線電話機情報記憶部２１０に記憶されている無線電話機３のアドレスに発信するなどして、あるいは、主装置１にこのアドレス情報を持つ電話機の通話状態を問い合わせるなどして、無線電話機３が通話中であるか否かを確認する。この無線電話機３が通話中であれば、この無線電話機３の通話相手のアドレス情報と、この無線電話機３のアドレス情報とを含む保留指示を送信する。ここで、無線電話機３の通話相手は、自内線電話機２から無線電話機３に転送した最新の呼の通話相手とし、主制御部２１１が管理しているものとする。
【００４０】
その後、主制御部２１１は、操作パネル２０４および操作制御部２０５を介してユーザからダイヤル情報を受け付け、通信制御部２０２および内線ＩＦ部２０１を介して、主装置１にこのダイヤル情報を送信する（Ｓ２１０）。
【００４１】
また、主制御部２１１は、操作パネル２０４および操作制御部２０５を介してユーザから切断指示（例えばオンフック）を受け付けると、あるいは内線ＩＦ部２０１および通信制御部２０２を介して、通話相手から切断メッセージを受信すると（Ｓ２１１でＹＥＳ）、呼の切断処理を行う（Ｓ２１２）。
【００４２】
図４は、図３に示す無線電話機連動処理（Ｓ２０２）を説明するためのフロー図である。
【００４３】
先ず、連動通知送信部２１１１は、無線電話機情報記憶部２１０を参照し、無線電話機３のアドレス情報が登録されているか否かを調べる（Ｓ２０２０１）。無線電話機３のアドレス情報が登録されているならば（Ｓ２０２０１でＹＥＳ）、次に、連動通知送信部２１１１は、接続状態監視部２０９から無線電話機３と充電器４との接続状態を取得し、この接続状態が「接続」であるか否かを調べる（Ｓ２０２０２）。そして、接続状態が「接続」である場合に（Ｓ２０２０２でＹＥＳ）、連動通知送信部２１１１は、通信制御部２０２および内線ＩＦ部２０１を介して主装置１に、連動通知として無線電話機３のアドレス情報を送信する（Ｓ２０２０３）。
【００４４】
次に、発信制御部２１１２は、連動通知として送信されたアドレス情報を持つ無線電話機３に対し、この無線電話機３の主装置１への発信処理を指示する（Ｓ２０２０４）。なお、無線電話機３の主装置１への発信処理の指示には、例えばパーソナルコンピュータ上のアプリケーションからクリックによりこのパーソナルコンピュータに接続されたＩＰ電話（ＳＩＰホン）を発信させるための技術である、いわゆるクリック・トゥ・ダイヤルを利用することができる。
【００４５】
図５は、図３に示す呼切替処理（Ｓ２０５）を説明するためのフロー図である。
【００４６】
先ず、切替通知送信部２１１３は、接続状態監視部２０９から取得した無線電話機３と充電器４との接続状態の変化を確認する。この接続状態の変化が「接続」→「非接続」であるならばＳ２０５０２に進み、「非接続」→「接続」であるならばＳ２０５０５に進む（Ｓ２０５０１）。
【００４７】
Ｓ２０５０２において、切替通知送信部２１１３は、自内線電話機２が通話中であるか否かを調べる。通話中である場合（Ｓ２０５０２でＹＥＳ）、通信制御部２０２および内線ＩＦ部２０１を介して主装置１に、自内線電話機２の通話相手のアドレス情報を含む第１の切替通知を送信する（Ｓ２０５０３）。その後、呼切替部２１１５に通話相手のアドレス情報を通知して、この通話相手との通話の停止を指示する。これを受けて、呼切替部２１１５は、通話相手への通話パケットの送信を停止する（Ｓ２０５０４）。
【００４８】
また、Ｓ２０５０５において、切替通知送信部２１１３は、無線電話機情報記憶部２１０を参照し、無線電話機３のアドレス情報を確認する。そして、例えば、呼処理部２０３と連携し、このアドレス情報により特定される電話機に発信するなどして、あるいは、主装置１にこのアドレスを持つ電話機の通話状態を問い合わせるなどして、この無線電話機３が通話中であるか否かを確認する。通話中である場合（Ｓ２０５０５でＹＥＳ）、切替通知送信部２１１３は、通信制御部２０２および内線ＩＦ部２０１を介して主装置１に、この無線電話機３の通話相手のアドレス情報を含む第２の切替通知を送信する（Ｓ２０５０３）。
【００４９】
その後、変更通知受信部２１１４が、内線ＩＦ部２０１および通信制御部２０２を介して、主装置１から変更通知を受信すると（Ｓ２０５０７）、呼切替部２１１５は、この変更通知に含まれているアドレス情報により特定される電話機への通話パケットの送信を開始する（Ｓ２０５０８）。これにより、ハンズフリー部２０６のマイクに入力された音声が、音声制御部２０７により音声データに変換される。そして、この音声データが、通信制御部２０２により通話パケットに格納され、内線ＩＦ部２０１からこのアドレス情報により特定される電話機に送出される。また、このアドレス情報により特定される電話機から送られてきた通話パケットは、内線ＩＦ部２０１で受信され、通信制御部２０２で音声データが抽出される。そして、この音声データが、音声制御部２０７によりハンズフリー部２０６のスピーカから出力される。
【００５０】
次に、主装置１について説明する。図６は、主装置１の概略構成図である。
【００５１】
図示するように、主装置１は、内線ＩＦ部１０１と、通信制御部１０２と、呼制御部１０３と、局データ記憶部１０４と、主制御部１０５と、を有する。
【００５２】
内線ＩＦ部１０１は、内線ネットワーク７と接続するためのインターフェースである。
【００５３】
通信制御部１０２は、内線ネットワーク７と通信パケットを送受するために必要な処理（エラー検出、エラー訂正、パケット解析等）を行う。
【００５４】
呼制御部１０３は、無線電話機３に対しては、ＳＩＰ等の一般的な呼制御プロトコルに従い呼制御処理を行う。一方、内線電話機２に対しては、独自の呼制御プロトコルに従い呼制御処理を行う。
【００５５】
局データ記憶部１０４は、局データを記憶する。局データには、内線電話機２毎に、内線電話機２に付与された電話番号と、内線電話機２および無線電話機３各々のアドレス情報とが含まれる。
【００５６】
そして、主制御部１０５は、主装置１の各部１０１〜１０４を統括的に制御する。図示するように、主制御部１０５は、連動通知受信部１０５１と、保留制御部１０５２と、切替通知受信部１０５３と、転送制御部１０５４と、変更通知送信部１０５５と、保留指示受信部１０５６と、を有する。
【００５７】
連動通知受信部１０５１は、内線電話機２から連動通知を受信する。
【００５８】
保留制御部１０５２は、呼制御部１０３と連携して、連動通知のアドレス情報を抽出して、このアドレス情報により特定される無線電話機３からの着信に応答して呼を接続すると共に、この呼を保留する。また、保留指示の送信元である内線電話機２、あるいは、この内線電話機２の無線電話機情報記憶部２１０に登録されているアドレス情報により特定される無線電話機３の呼を保留する。
【００５９】
切替通知受信部１０５３は、内線電話機２から第１の切替通知および第２の切替通知を受信する。
【００６０】
転送制御部１０５４は、呼制御部１０３と連携して、呼の転送を制御する。例えば、第１の切替通知の送信元である内線電話機２の無線電話機情報記憶部２１０に登録されているアドレス情報により特定される無線電話機３の呼の接続先を、主装置１から内線電話機２の通話相手に切り替える。また、第２の切替通知の送信元である内線電話機２の無線電話機情報記憶部２１０に登録されているアドレス情報により特定される無線電話機３の通話相手の呼の接続先を、無線電話機３から内線電話機２に切り替える。また、保留指示の送信元である内線電話機２、あるいは、この内線電話機２の無線電話機情報記憶部２１０に登録されているアドレス情報により特定される無線電話機３の通話相手の呼の接続先を、この内線電話機２、あるいはこの無線電話機３から、この内線電話機２より受け付けたダイヤル情報により特定される転送先に切り替える。
【００６１】
変更通知送信部１０５５は、転送制御部１０５４により通話相手が切り替わる内線電話機２に、この通話相手のアドレス情報を含む変更通知を送信する。
【００６２】
保留指示受信部１０５６は、内線電話機２から保留指示を受信する。
【００６３】
図７は、主装置１の動作を説明するためのフロー図である。
【００６４】
主制御部１０５は、内線ＩＦ部１０１および通信制御部１０２を介して、内線ネットワーク７から着信通知（例えばＩＮＶＩＴＥメッセージ）、あるいは発信通知（例えばオフフック信号）を受信すると（Ｓ１０１でＹＥＳ）、連動通知受信部１０５１および保留制御部１０５２により後述する無線電話機保留処理を行う（Ｓ１０２）。その後、主制御部１０５は、呼制御部１０３と連携して、通話相手に対する着信処理（着信通知受信の場合）、あるいは発信処理（発信通知受信の場合）を行って、これらの通知の送信元と通話相手との間に、呼を接続する（Ｓ１０３）。
【００６５】
また、主制御部１０５は、内線ＩＦ部１０１および通信制御部１０２を介して、内線電話機２から第１の切替通知を受信すると（Ｓ１０４でＹＥＳ）、切替通知受信部１０５３、転送制御部１０５４、および変更通知送信部１０５５により、後述する無線電話機転送処理を行って（Ｓ１０５）、第１の切替通知の送信元である内線電話機２の通話相手の呼の接続先を、この内線電話機２からこの内線電話機２の無線電話機情報記憶部２１０に登録されているアドレス情報により特定される無線電話機３に切り替える。
【００６６】
また、主制御部１０５は、内線ＩＦ部１０１および通信制御部１０２を介して、内線電話機２から第２の切替通知を受信すると（Ｓ１０６でＹＥＳ）、切替通知受信部１０５３、保留制御部１０５２、転送制御部１０５４、および変更通知送信部１０５５により、後述する内線電話機転送処理を行って（Ｓ１０７）、第２の切替通知の送信元である内線電話機２の無線電話機情報記憶部２１０に登録されているアドレス情報により特定される無線電話機３の通話相手の呼の接続先を、この無線電話機３からこの内線電話機２に切り替える。
【００６７】
また、主制御部１０５は、内線ＩＦ部１０１および通信制御部１０２を介して、内線電話機２から保留指示を受信すると（Ｓ１０８でＹＥＳ）、保留指示受信部１０５６、保留制御部１０５２、転送制御部１０５４、および変更通知送信部１０５５により、後述する他電話機転送処理を行って（Ｓ１０９）、保留指示の送信元である内線電話機２、あるいはこの内線電話機２の無線電話機情報記憶部２１０に登録されているアドレス情報により特定される無線電話機３の通話相手の呼の接続先を、この内線電話機２、あるいは無線電話機３から、この内線電話機２より受け付けたダイヤル情報により特定される転送先に切り替える。
【００６８】
図８は、図７に示す無線電話機保留処理（Ｓ１０２）を説明するためのフロー図である。
【００６９】
先ず、連動通知受信部１０５１は、連動通知が届くのを待つ（Ｓ１０２０１）。連動通知を受信したならば（Ｓ１０２０１でＹＥＳ）、連動通知からアドレス情報を抽出して、局データ記憶部１０４に保存する。さらに、保留制御部１０５２に連動通知が届いたことを通知する。これを受けて、保留制御部１０５２は着信を待つ。
【００７０】
さて、保留制御部１０５２は、着信を受けると、局データ記憶部１０４に保存したアドレス情報と着信元のアドレスとを比較する（Ｓ１０２０２）。両者が一致する場合、すなわち連動通知から抽出されたアドレス情報を持つ無線電話機３からの着信である場合（Ｓ１０２０２でＹＥＳ）、保留制御部１０５２は、呼制御部１０３と連携してこの着信に応答し、呼を接続する（Ｓ１０２０３）。それから、この呼を保留する（Ｓ１０２０４）。一方、両者が一致しない場合、すなわち連動通知から抽出されたアドレス情報を持つ無線電話機３からの着信でない場合（Ｓ１０２０２でＮＯ）、このフローを終了する。
【００７１】
図９は、図７に示す無線電話機転送処理（Ｓ１０５）を説明するためのフロー図である。
【００７２】
先ず、切替通知受信部１０５３は、第１の切替通知を受信すると、局データ記憶部１０４を参照して、第１の切替通知の送信元である内線電話機２のアドレス情報を含む局データを検索し、この局データから無線電話機３のアドレス情報を特定する。次に、切替通知受信部１０５３は、保留制御部１０５２に、この無線電話機３のアドレス情報を通知して、保留解除を指示する。これを受けて、保留制御部１０５２は、切替通知受信部１０５３から通知されたアドレス情報を持つ無線電話機３と接続している呼の保留を解除する（Ｓ１０５０１）。
【００７３】
また、切替通知受信部１０５３は、この無線電話機３のアドレス情報と、この第１の切替通知に含まれている通話相手のアドレス情報とを転送制御部１０５４に通知して、Ｓ１０５０１で保留解除した呼の転送を指示する。これを受けて、転送制御部１０５４は、切替通知送信部１０５３より通知されたアドレス情報を持つ無線電話機３を制御し、この無線電話機３に、主装置１に接続している呼の、切替通知送信部１０５３より通知されたアドレス情報を持つ通話相手への転送処理を実施させる（Ｓ１０５０２）。
【００７４】
また、切替通知受信部１０５３は、この無線電話機３のアドレス情報と、この第１の切替通知に含まれている通話相手のアドレス情報とを変更通知送信部１０５５に通知して、変更通知の送信を指示する。これを受けて、変更通知送信部１０５５は、この通話相手に、この無線電話機３のアドレス情報を含む変更通知を送信する（Ｓ１０５０３）。
【００７５】
図１０は、図７に示す内線電話機転送処理（Ｓ１０７）を説明するためのフロー図である。
【００７６】
先ず、切替通知受信部１０５３は、第２の切替通知を受信すると、局データ記憶部１０４を参照して、第２の切替通知の送信元である内線電話機２のアドレス情報を含む局データを検索し、この局データから無線電話機３のアドレス情報を特定する。次に、切替通知受信部１０５３は、この無線電話機３のアドレス情報を転送制御部１０５４に通知して、この無線電話機３の呼の接続先の、主装置１への切り替えを指示する。
【００７７】
これを受けて、転送制御部１０５４は、切替通知送信部１０５３より通知されたアドレス情報を持つ無線電話機３を制御し、この無線電話機３に、通話相手に接続している呼の、主装置１への転送処理を実施させる（Ｓ１０７０１）。
【００７８】
次に、切替通知受信部１０５３は、この無線電話機３のアドレス情報を保留制御部１０５２に通知して、呼の保留を指示する。これを受けて、保留制御部１０５２は、この無線電話機３の、主装置１に対する呼を保留する（Ｓ１０７０２）。
【００７９】
次に、切替通知受信部１０５３は、第２の切替通知の送信元である内線電話機２のアドレス情報と、この第２の切替通知に含まれている通話相手のアドレス情報とを変更通知送信部１０５５に通知して、変更通知の送信を指示する。これを受けて、変更通知送信部１０５５は、第２の切替通知の送信元である内線電話機２に、第２の切替通知に含まれている通話相手のアドレス情報を含む変更通知を送信する（Ｓ１０７０３）。
【００８０】
また、変更通知送信部１０５５は、第２の切替通知に含まれているアドレス情報を持つ通話相手に、第２の切替通知の送信元である内線電話機２のアドレス情報を含む変更通知を送信する（Ｓ１０７０４）。
【００８１】
図１１は、図７に示す他電話機転送処理（Ｓ１０９）を説明するためのフロー図である。
【００８２】
先ず、保留指示受信部１０５６は、局データ記憶部１０４を参照し、保留指示に含まれているアドレス情報が内線電話機２であるか、それとも無線電話機３であるかを確認する（Ｓ１０９０１）。無線電話機３の場合はＳ１０９０２に進み、内線電話機２の場合はＳ１０９０８に進む。
【００８３】
Ｓ１０９０２において、保留指示受信部１０５６は、保留制御部１０５２に、保留指示に含まれている無線電話機３のアドレス情報を通知して、保留を指示する。これを受けて、保留制御部１０５２は、無線電話機３の呼を保留する。
【００８４】
次に、保留指示受信部１０５６は、保留指示の送信元からダイヤル情報を受け付け、局データ記憶部１０４を参照して、このダイヤル情報を持つ内線電話機２のアドレス情報を検索する。そして、呼制御部１０３と連携し、このアドレス情報を持つ転送先の内線電話機２へ発信する（Ｓ１０９０３）。
【００８５】
次に、保留指示受信部１０５６は、転送制御部１０５４に、保留指示に含まれている無線電話機３のアドレス情報と、Ｓ１０９０３で検索した転送先の内線電話機２のアドレス情報とを通知して、呼の転送を指示する。
【００８６】
これを受けて、転送制御部１０５４は、保留指示受信部１０５６より通知されたアドレス情報を持つ無線電話機３を制御し、この無線電話機３に、通話相手に接続している呼の接続先を、保留指示受信部１０５６より通知されたアドレス情報を持つ転送先の内線電話機２へ切り替えるための転送処理を実施させる（Ｓ１０９０４）。
【００８７】
次に、保留指示受信部１０５６は、保留指示に含まれているアドレス情報を持つ無線電話機３から切断指示（例えばＢＹＥメッセージ）を受信すると（Ｓ１０９０５でＹＥＳ）、変更通知送信部１０５５に、この保留指示に含まれている通話相手のアドレス情報と、転送先の内線電話機２のアドレス情報とを通知して、変更通知の送信を指示する。
【００８８】
これを受けて、変更通知送信部１０５５は、通話相手に、転送先の内線電話機２のアドレス情報を含む変更通知を送信する（Ｓ１０９０６）。また、転送先の内線電話機２に、通話相手のアドレス情報を含む変更通知を送信する（Ｓ１０９０７）。
【００８９】
一方、Ｓ１０９０８において、保留指示受信部１０５６は、保留制御部１０５２に、保留指示に含まれている内線電話機２のアドレス情報を通知して、保留を指示する。これを受けて、保留制御部１０５２は、内線電話機２の呼を保留する。
【００９０】
次に、保留指示受信部１０５６は、保留指示の送信元からダイヤル情報を受け付け、局データ記憶部１０４を参照して、このダイヤル情報を持つ内線電話機２のアドレス情報を検索する。そして、呼制御部１０３と連携し、このアドレス情報を持つ転送先の内線電話機２へ発信する（Ｓ１０９０９）。
【００９１】
次に、保留指示受信部１０５６は、変更通知送信部１０５５に、この保留指示に含まれている通話相手のアドレス情報と、転送先の内線電話機２のアドレス情報とを通知して、変更通知の送信を指示する。
【００９２】
これを受けて、変更通知送信部１０５５は、通話相手に、転送先の内線電話機２のアドレス情報を含む変更通知を送信する（Ｓ１０９１０）。また、転送先の内線電話機２に、通話相手のアドレス情報を含む変更通知を送信する（Ｓ１０９１１）。
【００９３】
次に、本実施の形態が適用された内線電話システムによる通話例を説明する。
【００９４】
図１２は、無線電話機３が充電器４に接続されているときに、内線電話機２が通話相手９ａに発信した場合において、通話相手９ａの呼を内線電話機２から無線電話機３に転送する場合の通話例を説明するためのシーケンス図である。
【００９５】
内線電話機２は、ユーザの発信操作（オフフック）を検出すると、主装置１に対して内線補足を行う（Ｓ３０１）。これを受けて、主装置１はＤＴ（ダイヤルトーン）を送出する。また、主装置１は、内線電話機２からの連動通知受信待機状態となる。
【００９６】
次に、内線電話機２は、充電器４に無線電話機３が接続されていることを確認すると、主装置１に連動通知を送信する（Ｓ３０３）。それから、内線電話機２は、無線電話機情報記憶部２１０に登録されているアドレス情報により特定される無線電話機３に対して、主装置１への発信処理を指示する。この例では、いわゆるクリック・トゥ・ダイヤルにより、無線電話機３に主装置１への発信処理を指示している（Ｓ３０４〜Ｓ３０７）。
【００９７】
無線電話機３は、内線電話機２の指示に従い、主装置１に発信する。主装置１は、これに応答して無線電話機３との間に呼を接続し（Ｓ３０８〜Ｓ３１０）、この呼を保留する（Ｓ３１１〜Ｓ３１２）。
【００９８】
次に、内線電話機２は、ユーザからダイヤル操作を受け付け、ダイヤル情報を主装置１に送信する（Ｓ３１３）。主装置１は、内線電話機２から受信したダイヤル情報に対応する通話相手９ａのアドレス情報を検索し、この通話相手９ａを呼び出す（Ｓ３１４）。そして、通話相手９ａから応答を受信したならば（Ｓ３１５）、この通話相手９ａと内線電話機２との呼を接続する（Ｓ３１６）。
【００９９】
さて、内線電話機２は、充電器４から無線電話機３が外されたことを検出すると、第１の切替通知を主装置１に送信する（Ｓ３１７）。これ受けて、主装置１は、内線電話機２の局データにアドレス情報が含まれている無線電話機３に対して、呼の保留を解除すると共に、この呼の接続先を、主装置１から内線電話機２へ切り替えるための転送処理を指示する（Ｓ３１８〜Ｓ３２１）。
【０１００】
無線電話機３は、主装置１の指示に従い、主装置１に転送を依頼する。これを受けて、主装置１は、通話相手９ａに、無線電話機３を呼の接続先とする変更通知を送信する。これにより、無線電話機３の呼の接続先が、主装置１から通話相手９ａに切り替えられる（Ｓ３２２〜Ｓ３２６）。
【０１０１】
図１３は、無線電話機３が充電器４に接続されているときに、通話相手９ａが内線電話機２に発信した場合において、通話相手９ａの呼の接続先を内線電話機２から無線電話機３に切り替える場合の通話例を説明するためのシーケンス図である。
【０１０２】
通話相手９ａは、ユーザの発信操作（オフフック）を検出すると、主装置１に対して内線補足を行う（Ｓ４０１）。これを受けて、主装置１は、ＤＴ（ダイヤルトーン）を送出する（Ｓ４０２）。
【０１０３】
次に、通話相手９ａは、ユーザからダイヤル操作を受け付け、ダイヤル情報を主装置１に送信する（Ｓ４０３）。これを受けて、主装置１は、通話相手９ａから受信したダイヤル情報に対応する電話番号の内線電話機２のアドレス情報を検索し、内線電話機２を呼び出す（Ｓ４０４）。また、主装置１は、内線電話機２からの連動通知受信待機状態となる。
【０１０４】
次に、内線電話機２は、主装置１から呼出しを受信すると、呼出し音を鳴動する。また、充電器４に無線電話機３が接続されていることを確認して、主装置１に連動通知を送信する（Ｓ４０５）。それから、内線電話機２は、無線電話機情報記憶部２１０に登録されているアドレス情報により特定される無線電話機３に対して、主装置１への発信処理を指示する。この例では、いわゆるクリック・トゥ・ダイヤルにより、無線電話機３に、主装置１への発信処理を指示している（Ｓ４０６〜Ｓ４０９）。
【０１０５】
無線電話機３は、内線電話機２の指示に従い、主装置１に発信する。主装置１は、これに応答して無線電話機３との間に呼を接続し（Ｓ４１０〜Ｓ４１２）、この呼を保留する（Ｓ４１３〜Ｓ４１４）。
【０１０６】
さて、内線電話機２は、ユーザの着信応答操作（オフフック）を検出すると、主装置１に応答を送信する（Ｓ４１５）。主装置１は、内線電話機２から応答を受信したならば、内線電話機２と通話相手９ａとの呼を接続する（Ｓ４１６）。
【０１０７】
その後、内線電話機２は、充電器４から無線電話機３が外されたことを検出すると、第１の切替通知を主装置１に送信する（Ｓ４１７）。これ受けて、主装置１は、内線電話機２の局データにアドレス情報が含まれている無線電話機３に対して、呼の保留を解除すると共に、この呼の接続先を、主装置１から内線電話機２へ切り替えるための転送処理を指示する（Ｓ４１８〜Ｓ４２１）。
【０１０８】
無線電話機３は、主装置１の指示に従い、主装置１に転送を依頼する。これを受けて、主装置１は、通話相手９ａに、無線電話機３を呼の接続先とする変更通知を送信する。これにより、無線電話機３の呼の接続先が、主装置１から通話相手９ａに転送される（Ｓ４２２〜Ｓ４２６）。
【０１０９】
図１４は、無線電話機３で通話相手９ａと通話中の呼の接続先を、無線電話機３から別の電話機（転送先）９ｂに切り替える場合の通話例を説明するためのシーケンス図である。
【０１１０】
無線電話機３が通話相手９ａと通話中において（Ｓ５０１）、無線電話機情報記憶部２１０にこの無線電話機３のアドレス情報が登録されている内線電話機２は、ユーザから保留操作（例えば内線ボタン押下）を受け付けると、主装置１に、この無線電話機３および通話相手９ａのアドレス情報を含む保留指示を送信する（Ｓ５０２）。これを受けて、主装置１は、この無線電話機３の呼を保留すると共に（Ｓ５０３〜Ｓ５０４）、通話相手９ａに保留音を送信する（Ｓ５０５）。
【０１１１】
次に、内線電話機２は、ユーザからダイヤル操作を受け付け、ダイヤル情報を主装置１に送信する（Ｓ５０６）。これを受けて、主装置１は、内線電話機２から受信したダイヤル情報に対応する転送先９ｂのアドレス情報を検索し、転送先９ｂを呼び出す（Ｓ５０７）。そして、転送先９ｂから応答を受信したならば（Ｓ５０８）、この転送先９ｂと呼を接続する（Ｓ５０９）。
【０１１２】
次に、主装置１は、無線電話機３に対して、呼の保留を解除すると共に、この呼の接続先を、通話相手９ａから転送先９ｂへ切り替えるための転送処理を指示する（Ｓ５１０〜Ｓ５１３）。
【０１１３】
無線電話機３は、主装置１の指示に従い、主装置１に転送を依頼する。これを受けて、主装置１は、転送先９ｂに、無線電話機３を呼の接続先とする変更通知を送信する。これにより、無線電話機３の呼の接続先が、通話相手９ａから転送先９ｂに切り替わる（Ｓ５１４〜Ｓ５１８）。
【０１１４】
その後、無線電話機３は、ユーザから切断操作（例えばオンフック）を受け付けると、主装置１に、呼の切断を依頼する（Ｓ５１９〜Ｓ５２０）。これを受けて、主装置１は、通話相手９ａに、転送先９ｂのアドレス情報を含む変更通知を送信する（Ｓ５２１）。また、転送先９ｂに、通話相手９ａのアドレス情報を含む変更通知を送信する（Ｓ５２２）。これにより、通話相手９ａと転送先９ｂとの間に、呼が接続される（Ｓ５２３）。
【０１１５】
以上、本発明の一実施の形態を説明した。
【０１１６】
本実施の形態では、内線ネットワーク７に無線ＡＰ５および内線電話機２を接続すると共に、無線ＡＰ５を介して内線ネットワーク７に無線電話機３を接続する。したがって、内線電話機２から離れた位置でも無線電話機３による通話が可能である。
【０１１７】
また、本実施の形態では、無線電話機３が外線ネットワーク８を経由しないで主装置１に接続する。このため、主装置１が内線電話機２に提供するサービスを無線電話機３でも利用可能である。
【０１１８】
また、本実施の形態において、内線電話機２は、無線電話機３を制御し、この無線電話機３から主装置１に発信させる。また、主装置１は、無線電話機３からの着信に応答して呼を接続し保留すると共に、内線電話機２からの第１の切替指示に従い、無線電話機３の呼の保留を解除し、この呼の接続先を、主装置１から内線電話機２の通話相手に切り替える。また、内線電話機２からの第２の切替指示に従い、無線電話機３の呼を保留し、この無線電話機３の通話相手の呼の接続先を無線電話機３から内線電話機２に切り替える。このため、本実施の形態によれば、無線電話機３として既存の無線ＩＰ電話機等を利用でき、専用の無線電話機を用意する必要がない。
【０１１９】
また、本実施の形態では、内線電話機２に発信もしくは着信があった場合に、無線電話機３と主装置１との間に呼を予め接続して保留し、この呼の保留を解除して転送することにより、通話相手の接続先を内線電話機２から無線電話機３に切り替えている。したがって、通話相手の接続先の切り替えを迅速に行うことができる。
【０１２０】
また、本実施の形態において、内線電話機２は、充電器４と無線電話機３の接続状態を監視し、この接続状態が「接続」から「非接続」に変化した場合に、主装置１に第１の切替通知を送信し、「非接続」から「接続」に変化した場合に、主装置１に第２の切替通知を送信している。このため、簡単な操作で、通話相手の接続先を内線電話機２から無線電話機３に切り替えることができる。
【０１２１】
また、本実施の形態において、主装置１は、内線電話機２からの保留指示に従い、無線電話機３の通話中の呼を保留すると共に、この呼の保留を解除して、通話相手から、内線電話機２より受け付けたダイヤル情報により特定される転送先に、この呼の接続先を切り替える。したがって、本実施の形態によれば、主装置１が内線電話機２に提供する転送サービスを無線電話機３でも利用できる。
【０１２２】
なお、本発明は上記の実施の形態に限定されるものではなく、その要旨の範囲内で数々の変形が可能である。例えば、主装置１および内線電話機２の各構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｅｒ）、ＰＣ（Ｐｅｒｓｏｎａｌ  Ｃｏｍｐｕｔｅｒ）などの計算機によりソフトウエア的に実行されるものでもよい。
【０１２３】
また、本実施の形態において、内線電話機２の発信制御部２１１２は、主装置１に設けてもよい。この場合、内線電話機２からの連動通知を契機として、主装置１に設けられた発信制御部が、無線電話機３に対して、主装置１への発信処理を制御する。
【０１２４】
また、本実施の形態において、充電器４は、内線電話機２に内蔵されていてもよい。また、充電器４は別段設けなくてもよい。この場合、無線電話機３と内線電話機２との接続状態を検知するセンサを設け、このセンサにより接続状態の変化を検出してもよい。
【０１２５】
また、本実施の形態において、内線電話機２に接続されている無線電話機３が、この内線電話機２に登録されている無線電話機３であるか否かを確認するようにしてもよい。
【０１２６】
例えば、無線電話機３が充電器４に接続された場合に、内線電話機２が、自内線電話機２に登録されている無線電話機３に発信し、無線電話機３から充電器４との接続状態を示す情報（例えば電力供給端子を流れる電流値）を取得することで、この充電器４に接続された無線電話機３が、自内線電話機２に登録されているか否かを確認する。
【０１２７】
あるいは、内線電話機２に近距離無線受信機を搭載し、充電器４に接続された無線電話機３に搭載された近距離無線タグから、無線電話機３のＩＤ（例えばアドレス情報）を取得することで、この無線電話機３が自内線電話機２に登録されているか否かを確認する。
【図面の簡単な説明】
【０１２８】
【図１】図１は、本発明の一実施の形態が適用された内線電話システムの概略構成図である。
【図２】図２は、内線電話機２の概略構成図である。
【図３】図３は、内線電話機２の動作を説明するためのフロー図である。
【図４】図４は、図３に示す無線電話機連動処理（Ｓ２０２）を説明するためのフロー図である。
【図５】図５は、図３に示す呼切替処理（Ｓ２０５）を説明するためのフロー図である。
【図６】図６は、主装置１の概略構成図である。
【図７】図７は、主装置１の動作を説明するためのフロー図である。
【図８】図８は、図７に示す無線電話機保留処理（Ｓ１０２）を説明するためのフロー図である。
【図９】図９は、図７に示す無線電話機転送処理（Ｓ１０５）を説明するためのフロー図である。
【図１０】図１０は、図７に示す内線電話機転送処理（Ｓ１０７）を説明するためのフロー図である。
【図１１】図１１は、図７に示す他電話機転送処理（Ｓ１０９）を説明するためのフロー図である。
【図１２】図１２は、内線電話機２が通話相手９ａに発信した場合において、通話相手９ａの呼の接続先を内線電話機２から無線電話機３に切り替える場合の通話例を説明するためのシーケンス図である。
【図１３】図１３は、通話相手９ａが内線電話機２に発信した場合において、通話相手９ａの呼の接続先を内線電話機２から無線電話機３に切り替える場合の通話例を説明するためのシーケンス図である。
【図１４】図１４は、無線電話機３で通話相手９ａと通話中の呼を、無線電話機３から別の電話機（転送先）９ｂに転送する場合の通話例を説明するためのシーケンス図である。
【符号の説明】
【０１２９】
１：主装置、２：内線電話機、３：無線電話機、４：充電器、５：無線ＡＰ、６：ＧＷ、７：内線ネットワーク、８：外線ネットワーク、１０１：内線ＩＦ部、１０２：通信制御部、１０３：呼制御部、１０４：局データ記憶部、１０５：主制御部、２０１：内線ＩＦ部、２０２：通信制御部、２０３：呼処理部、２０４：操作パネル、２０５：操作制御部、２０６：ハンズフリー部、２０７：音声制御部、２０８：給電部、２０９：接続状態監視部、２１０：無線電話機情報記憶部、２１１１：主制御部、１０５１：連動通知受信部、１０５２：保留制御部、１０５３：切替通知受信部、１０５４：転送制御部、１０５５：変更通知送信部、１０５６：保留指示受信部、２１１１：連動通知送信部、２１１２：発信制御部、２１１３：切替通知送信部、２１１４：変更通知受信部、２１１５：呼切替部、２１１６：保留指示送信部
【図１】
2008270926.tif 000003
【図２】
2008270926.tif 000004
【図３】
2008270926.tif 000005
【図４】
2008270926.tif 000006
【図５】
2008270926.tif 000007
【図６】
2008270926.tif 000008
【図７】
2008270926.tif 000009
【図８】
2008270926.tif 000010
【図９】
2008270926.tif 000011
【図１０】
2008270926.tif 000012
【図１１】
2008270926.tif 000013
【図１２】
2008270926.tif 000014
【図１３】
2008270926.tif 000015
【図１４】
2008270926.tif 000016